(57)【要約】【課題】  単純構造で、それによる移動設置の容易及び製作コストが低減される移動型廃水処理装置を提供する。【解決手段】  不純物を１次的に濾過する第１のフィルタ１０と、第１のフィルタ１０からの汚染水を消毒し、複合沈殿剤を汚染水に循環撹拌して沈殿物を生成するようにする貯蔵槽３０と、貯蔵槽３０に連結され貯蔵槽３０からの汚染水に含まれる不純物を２次的に濾過する第２のフィルタ２０とを備える。この移動型廃水処理装置では、汚染水の流動と、汚染水を浄化することにより得られる飲用水の抽出と、汚染水及び複合沈殿剤の循環撹拌とを単一のポンプにより行うようにし、貯蔵槽３０内部には、汚染水と複合沈殿剤の円滑な撹拌のために渦流を形成する第１及び第２の噴出管を備える。【選択図】  図２
2009039708.tif 000002
【特許請求の範囲】
【請求項１】
ポンプ（５２）によって流入される汚染水に含まれる異物を１次的に濾過する複数の第１のフィルタ（１０）と、
上記複数の第１のフィルタ（１０）に連結され、注入された塩素消毒薬で上記汚染水を消毒し、複合沈殿剤を投入して該汚染水に混合させ、該複合沈殿剤と該汚染水とを循環撹拌して凝集沈殿物を生成する貯蔵槽（３０）と、
上記貯蔵槽（３０）に連結され、上記ポンプ（５２）によって循環撹拌された汚染水を２次的に濾過して、浄化された飲用水を抽出可能にする複数の第２のフィルタ（２０）とを備えることを特徴とする移動型廃水処理装置。
【請求項２】
上記貯蔵槽（３０）は、更に上記ポンプ（５２）に連結されて、上記複合沈殿剤が混合された汚染水を排出し、再び該貯蔵槽（３０）に流入させる反復循環構造を有し、上記循環撹拌する過程において、上記汚染水と上記複合沈殿剤とは一定の時間撹拌されることを特徴とする請求項１に記載の移動型廃水処理装置。
【請求項３】
上記貯蔵槽（３０）は、上記ポンプ（５２）を一定の時間駆動し、該ポンプ（５２）を３０分間停止し、上記凝集沈殿物が沈澱するまで待機することを特徴とする請求項２に記載の移動型廃水処理装置。
【請求項４】
上記複合沈殿剤は、カーボン凝集剤及び蒸溜水に溶解された硫酸アルミニウム、又は、カーボン凝集剤及び硫酸アルミニウムが結合された凝固剤からなることを特徴とする請求項１に記載の移動型廃水処理装置。
【請求項５】
当該移動型廃水処理装置は、１０ｌの水を浄化するために、塩素消毒薬１００ｍｇと、カーボン凝集剤４ｇ及び蒸溜水に溶解された硫酸アルミニウム１．３ｇからなる複合沈殿剤とを、又は、塩素消毒薬１００ｍｇと、カーボン凝集剤及び硫酸アルミニウムが結合された凝固剤５．３ｇからなる複合沈殿剤とを用いることを特徴とする請求項１又は４に記載の移動型廃水処理装置。
【請求項６】
上記貯蔵槽（３０）は、上記第１のフィルタ（１０）と流動管（６５）によって連結されており、
上記流動管（６５）は、上記貯蔵槽（３０）内部において、該流動管（６５）を複数の第１の噴出管（５０、５０’）及び複数の第２の噴出管（５１、５１’）に分岐する分配部（４０）に連結されており、
上記第１の噴出管（５０、５０’）と上記第２の噴出管（５１、５１’）は、長手方向に一定の間隔で離隔された多数の噴射ノズル（５３）をその外周面にそれぞれ有し、該第１の噴出管（５０、５０’）の噴射ノズル（５３）と該第２の噴出管（５１、５１’）の噴射ノズル（５３）は、互いに異なる方向に突出形成されており、上記貯蔵槽（３０）内部に汚染水を噴射することにより、該貯蔵槽（３０）内部に渦流を形成して上記複合沈殿剤と該汚染水とを撹拌することを特徴とする請求項１に記載の移動型廃水処理装置。
【請求項７】
当該移動型廃水処理装置は、単一の上記ポンプ（５２）を、上記第１のフィルタ（１０）、上記貯蔵槽（３０）、上記第２のフィルタ（２０）に順次連結し、
上記汚染水の流入時には、上記ポンプ（５２）を利用して、該汚染水を吸入し、上記第１のフィルタ（１０）を通り上記貯蔵槽（３０）に流入されるようにし、
上記汚染水と複合沈殿剤の混合時には、上記ポンプ（５２）を利用して、上記貯蔵槽（３０）内部で該複合沈殿剤と該汚染水が撹拌されるように、該貯蔵槽（３０）から排出される汚染水を、再び貯蔵槽（３０）に反復循環させるようにし、
飲用水の抽出時には、上記ポンプ（５２）を利用して、上記循環撹拌された貯蔵槽（３０）の汚染水を、上記第２のフィルタ（２０）に流動させ、該第２のフィルタ（２０）において濾過され飲用水が抽出されるようにすることを特徴とする請求項１に記載の移動型廃水処理装置。
【請求項８】
上記第１のフィルタ（１０）は、一般織物に化学処理を施したプレフィルタであることを特徴とする請求項１に記載の移動型廃水処理装置。
【請求項９】
上記第２のフィルタ（２０）は、二重管構造の第１及び第２のフィルタハウジング（１１、１２）を有し、
上記第１及び第２のフィルタハウジング（１１、１２）間に形成される空間部（１４）には、ＰＣＰフィルタ（１３）が介入されており、
上記ＰＣＰフィルタ（１３）は、第１のプレフィルタ（１３ａ）、活性カーボン纎維（１３ｂ）、第２のプレフィルタ（１３ｃ）が順次積層された構造を有し、
上記汚染水は、上記第１のフィルタハウジング（１１）の外周面から流入されて上記ＰＣＰフィルタ（１３）と上記第２のフィルタハウジング（１２）を順次経て、該第２のフィルタハウジング（１２）の内部から該第２のフィルタハウジングの一側に排出されるようにすることを特徴とする請求項１に記載の移動型廃水処理装置。
【発明の詳細な説明】
【技術分野】
【０００１】
本発明は、汚染水内に含まれる不純物を除去して飲用水を抽出するための移動型廃水処理装置に関し、より詳しくは、不純物を１次的に濾過する第１のフィルタと、第１のフィルタからの汚染水を消毒し、複合沈殿剤を汚染水に循環撹拌して沈殿物を生成するための貯蔵槽と、貯蔵槽に連結され、貯蔵槽からの汚染水に含まれる不純物を２次的に濾過する第２のフィルタとを備え、汚染水の流動と、汚染水を浄化することにより得られる飲用水の抽出と、汚染水と複合沈殿剤の循環撹拌とを単一のポンプにより行うようにし、また、貯蔵槽内部に汚染水と複合沈殿剤の円滑な撹拌のために渦流を形成する第１及び第２の噴出管を備える移動型廃水処理装置に関する。
【背景技術】
【０００２】
従来、廃水装置は、凝固剤を投入して凝固剤が廃水内に含まれた不純物を凝固し、沈殿槽で長時間かけて沈澱させ、この上澄みである浄水された水を濾過装置に通すことで、完全に浄化された水を得るようにするものであった。
【０００３】
しかしながら、これには、多数の大型の沈殿槽を設置しなければならず、多段階の浄水処理を行う必要があり、それによって嵩と設置面積が大きくなり空間を多く占めるようになるとともに、廃水を多数の沈殿槽に数回通すようにしなければならないので、沈澱時間が極めて長くなり、廃水を浄化する時間が相当長時間となる等の問題があった。
【発明の開示】
【発明が解決しようとする課題】
【０００４】
本発明は、上述のような問題を解決するためになされたものであって、本発明の目的は、プレフィルタが使用される第１のフィルタ及びＰＣＰフィルタが使用される第２のフィルタで汚染水を濾過し、浄化された飲用水を抽出するものであり、第１のフィルタから排出される汚染水を貯蔵槽内を流動させ、貯蔵槽で消毒とともに、複数の尿素が含まれた複合沈殿剤を投入し、汚染水内に含まれる不純物を凝集して沈殿物を生成し、第２のフィルタを介して飲用水を抽出可能にするような構成とし、汚染水の流動と、汚染水が濾過された状態の飲用水の抽出と、複合沈殿剤及び汚染水の循環撹拌とを、単一のポンプにより行うようにし、それによって、既存の多数の貯蔵槽を使用する工程を単純化することによって、汚染水を飲用水に浄化するための濾過／消毒／撹拌効果が向上し、構成要素の単純化とそれによる不要な工程を削減するとともに、製作コストを低減する移動が容易な移動型廃水処理装置を提供することにある。
【０００５】
本発明の他の目的及び長所は、下記に説明するとおりであり、本発明の実施の形態によって把握される。また、本発明の目的及び長所は、特許請求の範囲に示した手段及びその組合せによって実現することができる。
【課題を解決するための手段】
【０００６】
本発明に係る移動型廃水処理装置は、ポンプによって流入される汚染水に含まれる異物を１次的に濾過する第１のフィルタと、第１のフィルタに連結され、注入された塩素消毒薬で汚染水を消毒し、複合沈殿剤を投入して汚染水に混合させ、複合沈殿剤と汚染水とを循環撹拌して凝集沈殿物を生成する貯蔵槽と、貯蔵槽に連結され、ポンプによって循環撹拌された汚染水を２次的に濾過して、浄化された飲用水を抽出可能にする第２のフィルタとを備えることを特徴とする。
【発明の効果】
【０００７】
本発明は、プレフィルタが使用される第１のフィルタ及びＰＣＰフィルタが使用される第２のフィルタで、汚染水を濾過させて浄化された飲用水を抽出するものであり、第１のフィルタから排出される汚染水を貯蔵槽内で流動させて、貯蔵槽内で消毒するとともに、複数の尿素が含まれた複合沈殿剤を投入し、汚染水内に含まれる不純物を凝集して沈殿物を生成し、第２のフィルタを経て飲用水を抽出可能にするような構成を有し、汚染水の流動と、汚染水が濾過された状態の飲用水の抽出と、複合沈殿剤及び汚染水の循環撹拌とを、単一のポンプにより行うようにし、それによって、既存の多数の貯蔵槽を使用する工程を、単純化することによって、汚染水を飲用水に浄化するための濾過／消毒／撹拌効果が向上し、構成要素の単純化とそれによる不要な工程を削減するとともに、製作コストを低減され、移動が容易になるという効果がある。
【０００８】
本発明は、上述の目的を達成するために下記の特徴を有する。
【０００９】
本発明による一実施例は、ポンプによって流入される汚染水に含まれる異物を１次的に濾過する複数の第１のフィルタと、複数の第１のフィルタに連結され、注入された塩素消毒薬で汚染水を消毒し、複合沈殿剤を投入して汚染水に混合させ、複合沈殿剤と汚染水とを循環撹拌して凝集沈殿物を生成する貯蔵槽と、貯蔵槽に連結され、ポンプによって循環撹拌された汚染水を２次的に濾過して、浄化された飲用水を抽出可能にする複数の第２のフィルタとを備えることを特徴とする。
【００１０】
また、貯蔵槽は、ポンプに連結されて、複合沈殿剤が混合された汚染水を排出し、再び貯蔵槽に流入させる反復循環構造を有し、循環撹拌する過程において、汚染水と複合沈殿剤とは一定の時間撹拌されることを特徴とする。
【００１１】
また、貯蔵槽は、ポンプを一定の時間駆動し、ポンプを３０分間停止し、凝集沈殿物が沈澱するまで待機することを特徴とする。
【００１２】
また、複合沈殿剤は、カーボン凝集剤及び蒸溜水に溶解された硫酸アルミニウム、又は、カーボン凝集剤及び硫酸アルミニウムが結合された凝固剤からなることを特徴とする。
【００１３】
また、当該移動型廃水処理装置は、１０ｌの水を浄化するために、塩素消毒薬１００ｍｇと、カーボン凝集剤４ｇ及び蒸溜水に溶解された硫酸アルミニウム１．３ｇからなる複合沈殿剤とを、又は、塩素消毒薬１００ｍｇと、カーボン凝集剤及び硫酸アルミニウムが結合された凝固剤５．３ｇからなる複合沈殿剤を用いることを特徴とする。
【００１４】
また、貯蔵槽は、第１のフィルタと流動管によって連結されており、流動管は、貯蔵槽内部において、流動管を複数の第１の噴出管及び複数の第２の噴出管に分岐する分配部に連結されており、第１の噴出管と第２の噴出管は、長手方向に一定の間隔で離隔された多数の噴射ノズルをその外周面にそれぞれ有し、第１の噴出管の噴射ノズルと第２の噴出管の噴射ノズルは、互いに異なる方向に突出形成されており、貯蔵槽内部に汚染水を噴射することにより、貯蔵槽内部に渦流を形成して複合沈殿剤と汚染水とを撹拌することを特徴とする。
【００１５】
また、当該移動型廃水処理装置は、単一のポンプを、第１のフィルタ、貯蔵槽、第２のフィルタに順次連結し、汚染水の流入時には、ポンプを利用して、汚染水を吸入し、第１のフィルタを通り貯蔵槽に流入されるようにし、汚染水と複合沈殿剤の混合時には、ポンプを利用して、貯蔵槽内部で複合沈殿剤と汚染水が撹拌されるように、貯蔵槽から排出される汚染水を、再び貯蔵槽に反復循環させるようにし、飲用水の抽出時には、ポンプを利用して、循環撹拌された貯蔵槽の汚染水を、第２のフィルタに流動させ、第２のフィルタにおいて濾過され飲用水が抽出されるようにするものであって、単一のポンプにより、汚染水の流動、撹拌及び飲用水の抽出を可能にすることを特徴とする。
【００１６】
また、第１のフィルタは、一般織物に化学処理を施したプレフィルタであることを特徴とする。
【００１７】
また、第２のフィルタは、二重管構造の第１及び第２のフィルタハウジングを有し、第１及び第２のフィルタハウジング間に形成される空間部には、ＰＣＰフィルタが介入されており、ＰＣＰフィルタは、第１のプレフィルタ、活性カーボン纎維、第２のプレフィルタが順次積層された構造を有し、汚染水は、第１のフィルタハウジングの外周面から流入されてＰＣＰフィルタと第２のフィルタハウジングを順次経て、第２のフィルタハウジングの内部から第２のフィルタハウジングの一側に排出されるようにすることを特徴とする。
【発明を実施するための最良の形態】
【００１８】
以下、図面を参照して、本発明の好ましい実施の形態について詳しく説明する。これに先立ち、本明細書及び特許請求の範囲に使用された用語や単語は、通常あるいは字義的な意味に限定して解釈されてはならず、発明者はその自己の発明を最も最善の方法で説明するために用語の概念を適切に定義することができるという原則に即して、本発明の技術的思想に符合する意味と概念で解釈されなければならない。
【００１９】
したがって、本明細書で説明する実施の形態と図面に図示する構成は、本発明の最も好ましい一実施の形態に過ぎず、本発明の技術的思想を全て代弁するものではないので、本出願時点において、これらを代替可能な多様な均等物と変形例が考えられる。
【００２０】
以下、図１乃至図８を参照して本発明の好ましい実施の形態である移動型廃水処理装置について説明する。
【００２１】
図示するように、本発明に係る移動型廃水処理装置は、汚染水をポンプ（Pump）５２によって吸入して、第１のフィルタ１０を介して貯蔵槽３０に流入し、その後、第２のフィルタ２０を介することにより、第１のフィルタ１０においては、汚染水内に含まれる異物を濾過し、貯蔵槽３０においては、汚染水を消毒し、複合沈殿剤を使用して凝集沈殿物を生成して、この汚染水を浄化する。さらに、移動型廃水処理装置は、ポンプ５２を利用して、貯蔵槽３０において複合沈殿剤と汚染水を撹拌させ、凝集沈殿物が生成された汚染水を、貯蔵槽３０から第１のフィルタ１０に循環させるものであり、第１のフィルタ１０と、貯蔵槽３０と、第２のフィルタ２０と、ポンプ５２と、複合沈殿剤と、流動管と、第１の噴出管５０、５０’と、第２の噴出管５１、５１’と、噴射ノズル５３とから構成されている。
【００２２】
図１は、本発明に係る移動型廃水処理装置の一実施の形態のブロック図である。図１に示すように、本発明に係る移動型廃水処理装置は、バルブＶ０（各バルブについては後述する。）を開放し、ポンプ５２を駆動し、この汚染水を流動管６０（各流動管については後述する。）を介して、ポンプ５２に流入させ、流入された汚染水を流動管６２側に移動させる。この移動された汚染水は、流動管６２に設けられたバルブＶ３に遮られて、流動管６３に流動し、流動管６３に連結され開放されているバルブＶ５、Ｖ６を通じて、複数の第１のフィルタ１０に流動させて、この第１のフィルタ１０において汚染水内に含まれる異物を１次的に濾過する。第１のフィルタ１０としては、一般織物に化学処理を施したプレフィルタが使用される。
【００２３】
濾過された汚染水は、第１のフィルタ１０のバルブＶ７、Ｖ８を通じ、第１のフィルタ１０に連結されている流動管６３’、６５を通じて、貯蔵槽３０に貯蔵され、汚染水が貯蔵された貯蔵槽３０内に塩素消毒薬を注入し、３０分間待機して汚染水を消毒するようにする。
【００２４】
その後、貯蔵槽３０にある汚染水を流動管６１を通じて排出する際に、流動管６１に連結されたポンプ５２を駆動して流動管６２に沿って流動させて、再び貯蔵槽３０に流入させる反復循環工程を行うようにする。
【００２５】
上述のような反復循環工程は、貯蔵槽３０内に貯蔵されて消毒された汚染水を複合沈殿剤と撹拌させるためであり、複合沈殿剤は、貯蔵槽３０に塩素消毒薬を注入した後に投入するものである。本実施の形態では、複合沈殿剤として、カーボン凝集剤及び蒸溜水に溶解された硫酸アルミニウムを使用した。
【００２６】
なお、複合沈殿剤としては、上述に限らず、カーボン凝集剤と硫酸アルミニウムとが結合された凝固剤を使用することもできる。
【００２７】
複合沈殿剤を貯蔵槽３０に投入後、貯蔵槽３０内の汚染水と複合沈殿剤との撹拌が活性化するようにポンプ５２を駆動させて汚染水を循環させる。
【００２８】
ポンプ５２による循環撹拌後、ポンプ５２の駆動を停止して、汚染水内の異物が凝集されて沈澱物が生成されるまで３０分間待機するようにする。
【００２９】
上記工程が終了すると、流動管６１、６６を用いて、第２のフィルタ２０に汚染水を通過させ、２次的に汚染水を濾過した後、流動管６８を通じて飲用可能な飲用水を抽出するようにする。第２のフィルタ２０としては、二重管構造のフィルタハウジングの内部にプレフィルタ（Pre Filter）１３ａと、活性カーボン纎維（Activated Carbon）１３ｂと、プレフィルタ（Pre Filter）１３ｃとが順次積層されて接合され一体型とされたＰＣＰフィルタが介在されたものである。
【００３０】
さらに、上記で説明したポンプ５２と、第１のフィルタ１０と、貯蔵槽３０と、第２のフィルタ２０との相互間を連結する各流動管には、多数のバルブが設けられており、入／出方向を制御するようにすることは当然である。
【００３１】
図２は、本発明に係る移動型廃水処理装置の汚染水の流入時における工程回路図であり、同図面に示すように、汚染水が流入される順序を回路で説明したものである。移動型廃水処理装置は、ポンプ５２を駆動して、汚染水を吸引し、この汚染水を流動管６０を介してポンプ５２に流入させ、ポンプ５２と後段において連結された流動管６２、６３を介して汚染水を複数の第１のフィルタ１０に流入させる。
【００３２】
これにより、汚染水内の異物が１次的に濾過され、この濾過された汚染水は、第１のフィルタ１０の後段において連結されている流動管６３’、６４、６５を順次移動して貯蔵槽３０に流入し、貯蔵槽３０に貯蔵される。
【００３３】
図２は、汚染水の流入時における汚染水の移動経路を示したものであり、図２に示す流動管６３、６３’、６４の管路中に設けられている複数のバルブＶ５、Ｖ６、Ｖ７、Ｖ８、Ｖ９は、汚染水が、流入された後、ポンプ５２、第１のフィルタ１０を介して貯蔵槽３０に至るまで開放（OPEN）状態を維持しなければならず、他の部位のバルブは遮断（CLOSE）状態になければならないことは当然である。
【００３４】
図３は、本発明に係る移動型廃水処理装置の消毒及び沈澱時における循環撹拌工程の回路図であり、同図面に示すように、汚染水が貯蔵槽３０内で消毒及び沈殿される時に、循環撹拌される汚染水の経路を示したものである。
【００３５】
貯蔵槽３０で消毒された汚染水は、貯蔵槽３０の後段においてポンプ５２と連結された流動管６１に排出される。この排出時には、流動管６１に設けられているバルブＶ２を、開放し、図２で汚染水の最初の流入時に使用された流動管６０のバルブＶ１を、遮断する。言い換えると、貯蔵槽３０から排出された汚染水が移動する流動管６１は、ポンプ５２に連結されており、このポンプ５２の駆動によって汚染水が多数の流動管６２、６５を順次移動した後、再び貯蔵槽３０に流入されるようにする。
【００３６】
上述のような循環を、ポンプ５２を用いて反復的に行うことにより、流動される汚染水が、循環される度に貯蔵槽３０に投入される複合沈殿剤との撹拌が活性化されて、凝集沈殿物の発生効果も増大する。
【００３７】
さらに、図３のように、汚染水が、複合沈殿剤と循環撹拌されるとともに、貯蔵槽３０に対して流入／流出を繰り返して反復循環する場合には、図２で汚染水が最初に流入される場合とは異なり、第１のフィルタ１０は通らないようにする。すなわち、図３に示す汚染水の貯蔵槽３０に対しての流入／流出を反復循環させる循環撹拌工程においては、流動管６１、６２中に設けられているバルブＶ２、Ｖ３を開放状態にあり、流動管６０、６３中に設けられているバルブＶ１、Ｖ５、Ｖ６が遮断状態にある。
【００３８】
図４は、本発明に係る移動型廃水処理装置の飲用水抽出時における工程回路図であり、同図面に示すように、消毒及び異物が沈澱した汚染水を飲用水として抽出するための経路を示したものである。
【００３９】
移動型廃水処理装置は、図２及び図３の工程を経た後、ポンプ５２の駆動を中断して異物の凝集塊が沈澱するまで３０分待機する。
【００４０】
この凝集塊が沈澱した後、貯蔵槽３０の汚染水を図２、３と同様に、ポンプ５２を駆動し、図２において汚染水と複合沈殿剤とを循環撹拌させるために使用した流動管６１を介して、この流動管６１に連結されたポンプ５２の駆動により、貯蔵槽３０内の汚染水をポンプ５２に吸入させ、その汚染水を、ポンプ５２と第２のフィルタ２０とを連結している流動管６６を介して第２のフィルタ２０に流入させる。
【００４１】
第２のフィルタ２０は、２次的に異物を濾過して飲用可能な状態の水を生成し、抽出可能とするようにする。
【００４２】
さらに詳しく流動経路を説明すると、汚染水は、ポンプ５２と後段において連結された流動管６６を移動し、流動管６７の管路中に設けられた複数のバルブＶ１１、Ｖ１２を介して複数の第２のフィルタ２０を通過する。第２のフィルタ２０を経た汚染水は、第２のフィルタ２０と連結された流動管６７’の管路中に設けられたバルブＶ１３、Ｖ１４を介して流動管６８に移動して飲用水として排出される。
【００４３】
さらに、ポンプ５２は、図２、３、４に示すように、汚染水の流入と、汚染水及び複合沈殿剤の循環撹拌と、浄化された飲用水の抽出との全てにおいて使用される。
【００４４】
図５は、本発明に係る移動型廃水処理装置を前面側から見た斜視図であり、図６は、本発明に係る移動型廃水処理装置を後面側から見た斜視図であり、それぞれ図２、３、４で説明した工程回路を斜視図でモデリングしたものであって、一実施の形態を示すものである。
【００４５】
図７は、本発明の第１及び第２の噴出管を一側から見た斜視図であって、同図面に示すように、汚染水が貯蔵槽３０に流入されるために移動する流動管６５は、分配部４０と連結されており、この分配部４０から分岐する噴出管を介して貯蔵槽３０内部に連結される。
【００４６】
分配部４０は、流動管６５を貯蔵槽３０の長手方向において多数の噴出管に分岐し、この噴出管が貯蔵槽３０を貫通して内部に位置される。
【００４７】
分配部４０は、流動管６５を、一対の第１の噴出管５０、５０’と一対の第２の噴出管５１、５１’とに分岐する。第１の噴出管５０、５０’と第２の噴出管５１、５１’には、貯蔵槽３０の略円柱状の外周面における長手方向に一定の間隔で離隔した多数の噴射ノズル５３が突出形成され、第１及び第２の噴出管５０、５０’、５１、５１’を流動する汚染水が、噴射ノズル５３を介して貯蔵槽３０内部に排出される。
【００４８】
さらに、一対の第１の噴出管５０、５０’は、貯蔵槽３０内部底面に位置するようにし、一対の第２の噴出管５１、５１’は、貯蔵槽３０内部で第１の噴出管５０、５０’の上側に位置するようにし、第１の噴出管５０、５０’と第２の噴出管５１、５１’に突出する多数の噴射ノズル５３の噴射方向がそれぞれ異なるように形成することで、貯蔵槽３０内部に第１及び第２の噴出管５０、５０’、５１、５１’の噴射ノズル５３で汚染水を噴出する時に、貯蔵槽３０内で渦流が形成され、汚染水と複合沈殿剤とがより撹拌される。
【００４９】
図８は、本発明に係る第２のフィルタ２０の構造を示した斜視図であり、同図面に示すように、第２のフィルタ２０は、第１及び第２のフィルタハウジング１１、１２からなる二重管構造を有するフィルタであり、第１及び第２のフィルタハウジング１１、１２のそれぞれの一端が開口され、内部空洞を有する円筒形状を有し、二重管構造となるように、第２のフィルタハウジング１２が第１のフィルタハウジング１１内部に挿入される。さらに、第１及び第２のフィルタハウジング１１、１２間の空間部１４には、ＰＣＰフィルタ１３が介在され、ＰＣＰフィルタ１３は、第１のプレフィルタ１３ａ、活性カーボン纎維１３ｂ、第２のプレフィルタ１３ｃが順次積層されて接合され一体成型された構造を有する。
【００５０】
ＰＣＰフィルタ１３は、緩やかな曲線を有し、第１のフィルタハウジング１１の内面と第２のフィルタハウジング１２の外面を長手方向に亘り、交互に繰り返し接触されている波型形状を有する。
【００５１】
第２のフィルタ２０のフィルタ構造は、第１のフィルタハウジング１１外部から汚染水が流入し、ＰＣＰフィルタ１３を通過し、第２のフィルタハウジング１２内部に移動し、第２のフィルタハウジング１２の開口した一側から異物が濾過された状態の汚染水が排出される構造を有する。
【００５２】
さらに、図面に表示された説明されていない符号であるＶ１０とＶ１７及びＶ４、４’、Ｖ１５、Ｖ１５’は、それぞれバルブを示し、バルブＶ１０は、貯蔵槽３０内部に沈殿物を排出するための排出口の役割をし、バルブＶ１７は、汚染水を本発明に係る移動型廃水処理装置で濾過した後に飲用水として抽出するためのバルブであり、バルブＶ４、Ｖ４’は、第１のフィルタ１０の異物を排出するためのバルブであり、バルブＶ１５、Ｖ１５’は、第２のフィルタ２０の異物を排出するためのバルブである。
【００５３】
以上のように、本発明は、限定された実施の形態と図面によって説明したが、本発明はこれに限定されず、本発明が属する技術分野で通常の知識を有する者によって本発明の技術思想と特許請求の範囲の均等範囲内で多様な修正及び変更が可能であることは勿論である。
【図面の簡単な説明】
【００５４】
【図１】本発明に係る移動型廃水処理装置の一実施の形態による工程図である。
【図２】本発明に係る移動型廃水処理装置の汚染水流入時における工程回路図である。
【図３】本発明に係る移動型廃水処理装置の消毒及び沈澱時における循環撹拌工程回路図である。
【図４】本発明に係る移動型廃水処理装置の飲用水抽出時における工程回路図である。
【図５】本発明に係る移動型廃水処理装置を正面から見た斜視図である。
【図６】本発明に係る移動型廃水処理装置を後面から見た斜視図である。
【図７】本発明の第１、２の噴出管を一側から見た斜視図である。
【図８】本発明の第２のフィルタの構造を示した斜視図である。
【符号の説明】
【００５５】
１０  第１のフィルタ、１１  第１のフィルタハウジング、１２  第２のフィルタハウジング、１３  ＰＣＰフィルタ、１３ａ  第１のプレフィルタ、１３ｂ  活性カーボン纎維、１３ｃ  第２のプレフィルタ、１４  空間部、２０  第２のフィルタ、３０  貯蔵槽、４０  分配部、５０、５０’  第１の噴出管、５１、５１’  第２の噴出管、５２  ポンプ、５３  噴射ノズル、６０〜６８  流動管
【図１】
2009039708.tif 000003
【図２】
2009039708.tif 000004
【図３】
2009039708.tif 000005
【図４】
2009039708.tif 000006
【図５】
2009039708.tif 000007
【図６】
2009039708.tif 000008
【図７】
2009039708.tif 000009
【図８】
2009039708.tif 000010